(57)【特許請求の範囲】
【請求項１】
第一ステッピングモータおよび第二ステッピングモータと、
前記第一ステッピングモータにより駆動される第一指針と、
前記第二ステッピングモータにより駆動される第二指針と、
前記第一指針に対応する第一時刻表示目盛および前記第二指針に対応する第二時刻表示目盛を備える文字板と、
前記第一指針および前記第二指針の運針状態を、少なくとも通常運針モードおよび前記第二指針の指針位置を修正する第二指針修正モードのいずれかに切替可能なモード切替手段と、
前記各指針の駆動を制御する運針制御手段と、
を具備し、
前記運針制御手段は、
前記通常運針モードでは、前記第一指針を第一駆動間隔で運針し、前記第二指針を前記第一駆動間隔よりも大きい第二駆動間隔で運針させ、
前記モード切替手段により、前記第二指針修正モードに切り替えられたことを認識すると、前記第一指針を、前記第二駆動間隔に対応した基準時間単位の指針位置に移動させた後、前記第一指針を前記第二駆動間隔で運針させる
ことを特徴とする指針式電子時計。
【請求項２】
請求項１に記載の指針式電子時計であって、
前記運針制御手段は、前記モード切替手段により前記運針状態が前記第二指針修正モードに切り替えられたことを認識すると、前記第一指針を前記第二駆動間隔に対応した基準時間単位の指針位置のうち、第一指針を反時計回り方向に移動させた際に最初に位置する前記第一時刻表示目盛の指針位置に移動させた後、前記第一指針を前記第二駆動間隔で時計回り方向に運針させる
ことを特徴とする指針式電子時計。
【請求項３】
請求項１または請求項２に記載の指針式電子時計であって、
第二指針を移動させる旨の操作内容を入力可能な操作部と、
前記操作部の操作状態に応じて、前記第二指針を移動させる制御をする修正制御部と、を備え、
前記第二指針は、前記運針制御手段による第二駆動間隔での運針制御、および前記修正制御部による前記操作部の操作状態に対応する移動制御により移動されて指針位置が修正される
ことを特徴とする指針式電子時計。
【請求項４】
請求項１から請求項３のいずれかに記載の指針式電子時計であって、
時間をカウントする内部カウンタを備え、
前記運針制御手段は、前記モード切替手段により前記運針状態が前記第二指針修正モードから前記通常運針モードに切り替えられたことを認識すると、前記第一指針を前記第一駆動間隔に対応した基準時間単位の指針位置のうち、前記内部カウンタにてカウントされる時間に対応した指針位置に移動させた後、前記第一指針を前記第一駆動間隔で時計回り方向に運針させる
ことを特徴とする指針式電子時計。
【請求項５】
請求項１から請求項４のいずれかに記載の指針式電子時計であって、
前記第一指針は、第一時針および第一分針を備え、
前記第二指針は、第二時針および第二分針を備え、
前記第一時刻表示目盛は、1分毎の分表示目盛を備えて構成され、
前記運針制御手段は、
前記通常運針モードにおいて、前記第一駆動間隔として１／ｎ分間隔（ｎは正の整数）に設定して前記第一指針を１／ｎ分間隔でステップ運針し、前記第二駆動間隔として１分間隔に設定して第二指針を１分間隔でステップ運針し、
前記第二指針修正モードにおいて、前記第一分針を１分間隔の目盛位置に移動させた後、前記第一指針を１分間隔で運針させる
ことを特徴とする指針式電子時計。
【請求項６】
第一ステッピングモータおよび第二ステッピングモータと、前記第一ステッピングモータにより駆動される第一指針と、前記第二ステッピングモータにより駆動される第二指針と、前記第一指針に対応する第一時刻表示目盛および前記第二指針に対応する第二時刻表示目盛を備える文字板と、を具備し、前記第一指針および前記第二指針の運針状態を、少なくとも通常運針モードおよび前記第二指針の指針位置を修正する第二指針修正モードのいずれかに切替可能で、前記運針状態に対応して前記各指針の駆動間隔が制御される指針式電子時計の運針制御方法であって、
前記第一指針および前記第二指針の運針状態が通常運針モードから第二指針修正モードに切り替えられたことを認識すると、前記第一指針を、前記第二駆動間隔に対応した基準時間単位の指針位置に移動させた後、前記第一指針を前記第二駆動間隔で運針させる制御をする
ことを特徴とする運針制御方法。
【発明の詳細な説明】
【技術分野】
【０００１】
本発明は、所定の駆動間隔で運針する少なくとも２つ以上の指針を備えた指針式電子時計、およびその運針制御方法に関する。
【背景技術】
【０００２】
従来、複数の地域の時刻を表示可能な、いわゆるデュアルタイム表示式の指針式時計が知られている（例えば、特許文献１参照）。
【０００３】
この特許文献１に記載のものは、文字板の外周に沿って設けられて、時針および分針により１２時間制で時刻を表示する時刻表示部分と、文字板内の９時方向に設けられて、２４時針により２４時間制で時刻を表示する２４時表示部分と、を備えた多軸の指針式電子時計である。この指針式電子時計では、例えば時刻表示部分に旅行先などの現地時間（ローカルタイム）を表示させ、２４時表示部分に母国時刻（ホームタイム）を表示させるなどして、デュアルタイム表示が可能な構成が採られている。
【０００４】
上記特許文献１では、ホームタイムを指示する２４時表示部分には分針が設けられていないが、近年、デュアルタイム表示が可能な時計において、ローカルタイムおよびホームタイムを表示させる各時刻表示部分に、それぞれ時針および分針を設けた時計も提案されている。この場合、ローカルタイムを指示する時針および分針を駆動するステップモータと、ホームタイムを指示する時針および分針を駆動するステップモータとを設け、各分針は１分を１ステップで駆動していた。つまり、各指針を同じ駆動間隔（１ステップの駆動間隔が１分間隔）で駆動していた。
【０００５】
【特許文献１】特開平１０−１８６０６１号公報
【発明の開示】
【発明が解決しようとする課題】
【０００６】
ところで、本発明者は、ローカルタイムおよびホームタイムを表示させる各時刻表示部分のうち、小さな表示指針（例えばホームタイムを表示する指針）は、分針を１ステップ／分つまり１分間隔でステップ運針し、大きな表示指針（例えばローカルタイムを表示する指針）は、分針を例えば１２ステップ／分として５秒間隔で運針させ、各時刻表示部の指針の駆動間隔（運針間隔）を異ならせたものを開発した。
このような構成によれば、大きな表示指針においては、秒針が設けられていなくても、分針の位置で秒の値が、おおよそ把握できる利点がある。
しかしながら、このような構成の電子時計では、大きな表示指針の時刻を基準として、小さな表示指針の時刻を設定、修正などする場合、大きな表示指針の針の取付精度の影響も加味され、大きな表示指針で指示される時刻を正しく読み取れず、小さな表示指針に誤った時刻を設定してしまうおそれがあるという問題がある。例えば、大きな表示指針でローカルタイムを表示し、小さな表示指針でホームタイムを表示している際に、実際のローカルタイム時刻が９分５５秒であったが、指針の取付精度などの影響でローカルタイム時刻を１０分００秒と読み取って、ホームタイム表示指針を１０分に修正した場合、誤った時刻に修正してしまうという問題がある。
【０００７】
本発明は、上記のような問題に鑑みて、正確に時刻を設定可能な指針式電子時計、および運針制御方法を提供することを目的とする。
【課題を解決するための手段】
【０００８】
本発明の指針式電子時計は、第一ステッピングモータおよび第二ステッピングモータと、前記第一ステッピングモータにより駆動される第一指針と、前記第二ステッピングモータにより駆動される第二指針と、前記第一指針に対応する第一時刻表示目盛および前記第二指針に対応する第二時刻表示目盛を備える文字板と、前記第一指針および前記第二指針の運針状態を、少なくとも通常運針モードおよび前記第二指針の指針位置を修正する第二指針修正モードのいずれかに切替可能なモード切替手段と、前記各指針の駆動を制御する運針制御手段と、を具備し、前記運針制御手段は、前記通常運針モードでは、前記第一指針を第一駆動間隔で運針させ、前記第二指針を前記第一駆動間隔よりも大きい第二駆動間隔で運針し、前記モード切替手段により、前記第二指針修正モードに切り替えられたことを認識すると、前記第一指針を、前記第二駆動間隔に対応した基準時間単位の指針位置に移動させた後、前記第一指針を前記第二駆動間隔で運針させることを特徴とする。
【０００９】
この発明によれば、運針制御手段は、モード切替手段により運針状態が第二指針修正モードに切り替えられたことを認識すると、第一指針の指針位置を第二指針の駆動間隔に対応する基準時間単位の目盛位置に移動させる制御をするとともに、第一指針を第二駆動間隔で運針させる制御をする。
例えば、通常運針モードにおいて、第一指針が第一ステッピングモータにより５秒間隔で１ステップずつ運針されて１２ステップで１分の目盛分（回転角度６度）だけ運針され、第二指針が第二ステッピングモータにより１分間隔で１ステップずつ運針されて１ステップで１分の目盛分だけ運針される指針式電子時計において、第一指針が例えば９分４５秒を示す指針位置に位置し、モード切替手段により第二指針修正モードに切り替えられた場合、運針制御手段は、次のような制御をする。
すなわち、運針制御手段は、第一指針を第二駆動間隔に対応する基準時間単位である１分単位の位置に移動させる。例えば、第一指針が第一時針および第一分針で構成され、第一時刻表示目盛が１分毎の分表示目盛を備えて構成されている場合、第一分針を各分表示目盛の位置（００秒位置）に移動させる。その後、運針制御手段は、第一指針および第二指針を第二駆動間隔である１分間隔で運針させる制御をする。
これにより、第二指針修正モードにおいて、第一指針が第二駆動間隔に対応する基準単位の指針位置（例えば１分毎の分表示目盛の目盛位置）に移動され、第一指針および第二指針の双方が第二駆動間隔で駆動されるため、第一指針が５秒間隔で運針されている場合に比べて、正確な指針位置を容易に読み取ることができる。
したがって、第二指針の指針位置を第一指針の指針位置に基づいて修正する際に、第一指針の指針位置の誤認による誤修正を防止することができ、かつ第一指針および第二指針が同じ駆動間隔で駆動されている状態で第二指針を修正できるため、第一指針に基づく第二指針の時刻修正を正確にかつ容易に実施することができる。
【００１０】
また、本発明の指針式電子時計では、前記運針制御手段は、前記モード切替手段により前記運針状態が前記第二指針修正モードに切り替えられたことを認識すると、前記第一指針を前記第二駆動間隔に対応した基準時間単位の指針位置のうち、第一指針を反時計回り方向に移動させた際に最初に位置する前記第一時刻表示目盛の指針位置に移動させた後、前記第一指針を前記第二駆動間隔で時計回り方向に運針させることが好ましい。
この発明によれば、運針制御手段は、第一指針を第二駆動間隔に対応した基準時間単位の指針位置のうち、第一指針を反時計回り方向に移動させた際に最初に位置する指針位置まで反時計回り方向に移動させる制御をする。例えば、通常運針モードにおいて、第一指針が５秒間隔でステップ運針され、第二指針が１分間隔で運針される指針式電子時計において、第一指針が例えば９分４５秒を示す指針位置に位置している場合、運針制御手段は、運針状態が第二修正モードに切り替わったことを認識すると、第一指針を反時計回り方向に移動させて９分００秒を示す指針位置に移動させる。その後、運針制御手段は、内部カウンタの分が桁上がりして１０分になった時点で第一指針および第二指針が第二駆動間隔（１分間隔）で運針されるため、第一指針も１０分を指示する指針位置に移動させる。
これにより、第二指針修正モードに切り替わった際に、第一指針が現在の時刻を明確に示す指針位置に移動されるため、第一指針の誤認をより確実に防止できる。また、第一指針を時計回り方向に移動させる場合では、第二修正モードに切り替わった後の最初の指針桁上げ処理が実施された際に、時刻のずれをなくすために、第一指針を移動させずに第二指針のみを移動させ、その後の指針桁上げ処理において、第一指針および第二指針を同一駆動間隔で移動させるなど、煩雑は処理が必要となる。これに対して、上記発明では、第一指針が反時計回り方向に移動されているため、最初の指針桁上げ処理の実施時から第一指針および第二指針を同一駆動間隔で移動させるだけで、時刻のずれなどが発生せず、容易に第一指針および第二指針の運針制御を実施することができる。
【００１１】
さらに、本発明の指針式電子時計では、第二指針を移動させる旨の操作内容を入力可能な操作部と、前記操作部の操作状態に応じて、前記第二指針を移動させる制御をする修正制御部と、を備え、前記第二指針は、前記運針制御手段による第二駆動間隔での運針制御、および前記修正制御部による前記操作部の操作状態に対応する移動制御により移動されて指針位置が修正されることが好ましい。
この発明によると、第二指針は、第二指針修正モードにおいて、前記運針制御手段による第二駆動間隔での運針制御、および前記修正制御部による前記操作部の操作状態に対応する移動制御により、所定の指針位置に移動される。すなわち、本発明の指針式電子時計は、第二指針修正モードにおいて、第二指針の通常運針モードの運針を維持し、かつ修正制御部の制御に対応した分だけ第二指針を移動させる制御をする。これにより、第一指針が運針中に第二指針を修正でき、第一指針の時刻を常時確認しながら修正できるとともに、第二指針は第一指針とともの同じ駆動間隔で運針され続けるため、操作部では各指針のずれ量のみを加算して修正すればよく、修正操作が容易になる。したがって、例えば第一指針でローカルタイムを表示させ、第二指針でホームタイムを表示させる、いわゆるデュアルタイム表示式の指針式電子時計などにおいて、ローカルタイムとホームタイムとの時差分を修正する際に、例えば秒単位のずれを防止することができ、時刻修正を正確かつ容易に実施できる。
【００１２】
そして、本発明の指針式電子時計では、時間をカウントする内部カウンタを備え、
前記運針制御手段は、前記モード切替手段により前記運針状態が前記第二指針修正モードから前記通常運針モードに切り替えられたことを認識すると、前記第一指針を前記第一駆動間隔に対応した基準時間単位の指針位置のうち、前記内部カウンタにてカウントされる時間に対応した指針位置に移動させた後、前記第一指針を前記第一駆動間隔で時計回り方向に運針させることが好ましい。
この発明によれば、指針式電子時計は時間をカウントする内部カウンタを備えている。そして、第二指針修正モードから通常運針モードに切り替えられるなどして、第二指針修正モードが終了すると、運針制御手段は、第一指針を第一駆動間隔に対応した基準時間単位の指針位置のうち、内部カウンタにてカウントされる時間に対応した指針位置まで時計周り方向に移動させる制御をする。
例えば、通常運針モードにおいて、第一指針が５秒間隔でステップ運針され、第二指針が１分間隔で運針される指針式電子時計において、第一指針が例えば１０分を示す指針位置に位置し、例えば内部カウンタが１０分３０秒以上１０分３５秒未満をカウントしている際に、モード切替手段により第二指針修正モードから通常運針モードに運針状態が切り替えられると、運針制御手段は、第一指針を時計回り方向に移動させて１０分３０秒を示す指針位置に移動させる。その後、運針制御手段は、内部カウンタが５秒をカウントする時点で第一指針を第一駆動間隔（５秒）で運針させる。
これにより、第二指針修正モードから通常運針モードなどに切り替わった際に、第一指針により例えば秒単位の現在の時刻を示すことが可能となり、現在時刻のより詳細な時刻を表示させることができる。この時、第一指針は、内部カウンタに対応した指針位置に移動されるため、第二指針修正モードから通常運針モードに切り替わった際に、時刻がずれるなどの不都合がなく、正確な時間を表示させることができる。
【００１３】
また、本発明の指針式電子時計では、前記第一指針は、第一時針および第一分針を備え、前記第二指針は、第二時針および第二分針を備え、前記第一時刻表示目盛は、1分毎の分表示目盛を備えて構成され、前記運針制御手段は、前記通常運針モードにおいて、前記第一駆動間隔として１／ｎ分間隔（ｎは正の整数）に設定して前記第一指針を１／ｎ分間隔でステップ運針し、前記第二駆動間隔として１分間隔に設定して第二指針を１分間隔でステップ運針し、前記第二指針修正モードにおいて、前記第一分針を１分間隔の目盛位置に移動させた後、前記第一指針を１分間隔で運針させることが好ましい。
この発明によると、例えば、ｎ＝１２に設定されている場合、第一指針は１／１２分＝５秒間隔で運針されるため、分針の位置で秒の値も把握できる。また、第二指針修正モードでは、第一分針は１分間隔の目盛位置に移動され、第二分針とともに１分間隔で運針されるため、第一指針の指示を正確に読み取ることができ、この第一指針の指示に基づいて第二指針を容易にかつ正確に修正できる。
【００１４】
そして、本発明の運針制御方法は、第一ステッピングモータおよび第二ステッピングモータと、前記第一ステッピングモータにより駆動される第一指針と、前記第二ステッピングモータにより駆動される第二指針と、前記第一指針に対応する第一時刻表示目盛および前記第二指針に対応する第二時刻表示目盛を備える文字板と、を具備し、前記第一指針および前記第二指針の運針状態を、少なくとも通常運針モードおよび前記第二指針の指針位置を修正する第二指針修正モードのいずれかに切替可能で、前記運針状態に対応して前記各指針の駆動間隔が制御される指針式電子時計の運針制御方法であって、前記第一指針および前記第二指針の運針状態が通常運針モードから第二指針修正モードに切り替えられたことを認識すると、前記第一指針を、前記第二駆動間隔に対応した基準時間単位の指針位置に移動させた後、前記第一指針を前記第二駆動間隔で運針させる制御をすることを特徴とする。
この発明では、上記発明と同様に、第二指針を第一指針の指針位置に基づいて修正する場合に、第一指針が第二駆動間隔に対応する基準単位の指針位置に移動され、かつ第一指針および第二指針の双方が第二駆動間隔で駆動される。これにより、第一指針が示す時刻が確認しやすくなり、指針位置の読み誤りなどの不都合を防止できる。したがって、第二指針の指針位置を第一指針の指針位置に基づいて修正する際に、第一指針の指針位置の誤認による誤修正を防止することができ、第二指針の正確な時刻修正の実施を支援することができる。
【発明を実施するための最良の形態】
【００１５】
以下、本発明の一実施の形態に係る指針式電子時計を図面に基づいて説明する。
図１は、本発明の一実施の形態に係る指針式電子時計における通常運針モードにおける時刻表示を示す平面図である。
図２は、前記実施の形態の指針式電子時計の概略構成を示すブロック図である。
【００１６】
図１および図２に示すように、本実施の形態の指針式電子時計１００は、外装ケース１０と、この外装ケース１０の内部に格納される時計本体２０（図２参照）と、を備えている。
外装ケース１０は、例えば略筒状の胴部、この胴部の両端側に設けられて該胴部を挟持する風防および裏蓋を備えている。風防は、例えばガラスなどの透明基材により形成され、内部に設けられる文字板１３が外部から視認可能な構成となっている。また、外装ケース１０の胴部には、例えば径方向に突出するリューズ１１、および設定ボタン１２が設けられている。
【００１７】
リューズ１１は、外装ケース１０の径方向に対して進退自在に設けられる。このリューズ１１は、外装ケース１０からの出没状態に応じて、複数（本実施の形態では３段階）のスイッチング信号を後述の制御部２５に出力する。例えば、リューズ１１は、最も外装ケース１０側に没入した状態（基準位置状態：ＲＭ０）、基準位置状態から１段階だけ外径方向に引き出された状態（第一引出位置状態：ＲＭ１）、第一引出位置状態ＲＭ１からさらに１段階外径方向に引き出された状態（第二引出位置状態：ＲＭ２）に移動可能に設けられ、それぞれ移動位置に応じたスイッチング信号を制御部に出力する。
【００１８】
設定ボタン１２は、外装ケース１０の径方向に対して進退自在に設けられ、例えばばねなどの図示しない付勢部材により径外方向に付勢されている。この設定ボタン１２は、例えば時刻の修正など、時計の各種設定を変更する際に操作されるボタンであり、例えば押下操作回数に応じた操作信号を制御部２５に出力する。
なお、本実施の形態では、外装ケース１０の径方向に対して進退自在に設けられるリューズ１１や設定ボタン１２を例示するが、例えば回転自在に設けられ、回転角度に応じた操作信号を出力する操作つまみなど、その他の駆動方式の操作部を設ける構成などとしてもよい。また、これらの操作部の数もこれに限られず、例えばリューズ１１と複数の設定ボタン１２を有するものであってもよく、例えばリューズ１１が進退自在かつ回転自在に設けられて設定ボタン１２の機能をも有する構成などとしてもよい。
【００１９】
また、外装ケース１０内には文字板１３が設けられている。文字板１３は、第一時刻表示目盛１３１と、第二時刻表示目盛１３２とを備えている。
第一時刻表示目盛１３１は、文字板１３の外周に略沿って形成され、外周を６０分割する分表示目盛を備えている。なお、分表示目盛のうち、外周を１２分割する位置の目盛は、他の目盛よりも長く形成され、時表示目盛としても兼用されている。また、時表示目盛に対応して、各時間を表示する例えば「１，２，３・・・１２」といった時間表示部が設けられる構成としてもよい。
第二時刻表示目盛１３２は、図１に示すように、文字板１３の中心と外周縁との間に設けられている。具体的には、文字板１３の中心に対して６時方向に位置に設けられている。この第二時刻表示目盛１３２には、例えば円形に形成される枠の内周部を例えば１２分割した１２時間制の目盛が配置されている。なお、第二時刻表示目盛１３２に、１周で２４時間を表示可能な２４時間制目盛が配置される構成などとしてもよい。
なお、第二時刻表示目盛１３２は、図１に示すように、第一時刻表示目盛１３１の６時の方向に設けられる場合に限らず、例えば文字板１３の中心に対して９時方向等、その他の位置に設けられていてもよい。
【００２０】
また、文字板１３と外装ケース１０の風防との間には、第一指針１４および第二指針１５が配置されている。
第一指針１４は、文字板１３の第一時刻表示目盛１３１の中心に配置された回転軸に接続された第一分針１４１および第一時針１４２を備えており、第二指針１５に比べて大きな表示指針とされている。
第一分針１４１および第一時針１４２は、通常の時計と同様に、第一ステッピングモータ２１（図２参照）からの駆動力が伝達される第一駆動伝達部２３（図２参照）に連結され、互いに連動して回転駆動される。
また、第一指針１４の第一分針１４１および第一時針１４２は、１／１２分すなわち５秒の駆動間隔（第一駆動間隔）でステップ運針される。なお、第一時刻表示目盛１３１の各分目盛間の中心角は３６０度／６０＝６度であるため、第一分針１４１は第一ステッピングモータ２１の１ステップで６度／１２＝０．５度だけ回転される。また、第一時針１４２は、１時間で３０度、つまり１分で０．５度回転されるため、第一ステッピングモータ２１の１ステップで０．５度／１２だけ回転される。
【００２１】
第二指針１５は、文字板１３の第二時刻表示目盛１３２の中心に配置された回転軸に接続された第二分針１５１および第二時針１５２を備えており、第一指針１４に比べて小さな表示指針とされている。
第二分針１５１および第二時針１５２も、通常の時計と同様に、第二ステッピングモータ２２（図２参照）からの駆動力が伝達される第二駆動伝達部２４（図２参照）に連結され、互いに連動して回転駆動される。
また、第二指針１５の第二分針１５１および第二時針１５２は、１分の駆動間隔（第二駆動間隔）でステップ運針される。なお、第二分針１５１は第二ステッピングモータ２２の１ステップで３６０度／６０＝６度だけ回転され、第二時針１５２は３０度／６０＝０．５度だけ回転される。
従って、第二駆動間隔（１分）は第一駆動間隔（５秒）よりも大きく設定されている。
【００２２】
上記のような構成の本実施の形態の指針式電子時計１００では、第一時刻表示目盛１３１および第一指針１４、第二時刻表示目盛１３２および第二指針１５により、それぞれ異なる地域における現在時刻を表示させる、いわゆるデュアルタイム表示が可能となる。例えば、旅行などにより旅先での時刻を第一時刻表示目盛１３１および第一指針１４によりローカルタイムとして表示させ、故郷である本国の時刻を第二時刻表示目盛１３２および第二指針１５によりホームタイムとして表示させるなどの使用が可能となる。
【００２３】
そして、外装ケース１０の内部における、裏蓋および文字板１３の間には、時計本体２０が配設されている。この時計本体２０は、図２に示すように、第一指針１４を駆動する第一ステッピングモータ２１と、第二指針１５を駆動する第二ステッピングモータ２２と、これらステッピングモータ２１、２２の駆動力をそれぞれ第一指針１４および第二指針１５に伝達する第一駆動伝達部２３および第二駆動伝達部２４と、制御部２５とを備えている。
【００２４】
第一ステッピングモータ２１は、制御部２５に電気的に接続され、制御部２５から入力される制御信号に基づいて、所定の駆動間隔で所定の駆動力を発生させ、第一駆動伝達部２３にこの駆動力を伝達する。例えば、第一ステッピングモータ２１は、制御部２５から入力される制御信号に基づいて、第一分針１４１を５秒毎に０．５度駆動させる駆動力を発生させ、第一駆動伝達部２３に伝達させる。
第一駆動伝達部２３は、複数のギア群から構成され、これらのギア群を介して第一ステッピングモータ２１からの駆動力を、第一指針１４の第一分針１４１を保持する軸部および第一時針１４２を保持する軸部に伝達する。この駆動力により軸部が所定の駆動間隔で所定角度だけ回転駆動し、第一指針１４の第一分針１４１および第一時針１４２を所定の角度だけ回転させる。
【００２５】
第二ステッピングモータ２２は、第一ステッピングモータ２１と略同様の構成を有している。すなわち、第二ステッピングモータ２２は、制御部２５に電気的に接続され、制御部２５から入力される制御信号に基づいて、所定の駆動間隔で所定の駆動力を発生させ、第二駆動伝達部２４にこの駆動力を伝達する。例えば、第二ステッピングモータ２２は、制御部２５から入力される制御信号に基づいて、第二分針１５１を１分毎に６度駆動させる駆動力を発生させ、第二駆動伝達部２４に伝達させる。
第二駆動伝達部２４は、複数のギア群から構成され、これらのギア群を介して第二ステッピングモータ２２からの駆動力を、第二指針１５の第二分針１５１および第二時針１５２を保持する各軸部に伝達する。この駆動力により軸部が所定の駆動間隔で所定角度だけ回転駆動し、第二指針１５の第二分針１５１および第二時針１５２を所定の角度だけ回転させる。
【００２６】
制御部２５は、例えば、時計本体２０の内部の制御回路により構成され、指針式電子時計１００全体の動作を制御する。この制御部２５は、リューズ位置検出部２５１と、スイッチ検出部２５２と、モード切替手段としてのモード切替制御部２５３と、修正制御部２５４と、間隔制御部２５５と、第一指針駆動制御部２５６と、第二指針駆動制御部２５７と、を備えている。なお、間隔制御部２５５、第一指針駆動制御部２５６、および第二指針駆動制御部２５７により、本発明の運針制御手段が構成される。
【００２７】
リューズ位置検出部２５１は、リューズ１１の位置を検出し、リューズ１１の位置に応じた位置検出信号をモード切替制御部２５３に出力する。
【００２８】
スイッチ検出部２５２は、設定ボタン１２の押下状態を検出し、設定ボタン１２が押下されたことを検出すると、押下状態に応じた所定の押下認識信号を修正制御部２５４に出力する。例えば、スイッチ検出部２５２は、設定ボタン１２が押下された回数や、設定ボタン１２が押下された時間に応じた押下認識信号を修正制御部２５４に出力する。
【００２９】
モード切替制御部２５３は、リューズ位置検出部２５１から入力された検出信号に基づいて、リューズ位置に対応するモード信号を修正制御部２５４、間隔制御部２５５、第一指針駆動制御部２５６および第二指針駆動制御部２５７に出力する。具体的には、モード切替制御部２５３は、リューズ位置検出部２５１からリューズ１１が基準位置状態ＲＭ０に位置している旨の検出信号が入力されたことを認識すると、修正制御部２５４、間隔制御部２５５、第一指針駆動制御部２５６、および第二指針駆動制御部２５７に通常運針に対応する駆動間隔にて第一指針１４および第二指針１５を駆動させる（通常運針モード）旨のモード信号を出力する。また、モード切替制御部２５３は、リューズ位置検出部２５１からリューズ１１が第一引出位置状態ＲＭ１に位置している旨の検出信号が入力されたことを認識すると、修正制御部２５４、間隔制御部２５５、第一指針駆動制御部２５６、および第二指針駆動制御部２５７に、第二指針１５の修正を実施する（第二指針修正モード）旨のモード信号を出力する。さらに、リューズ位置検出部２５１からリューズ１１が第二引出位置状態ＲＭ２に位置している旨の検出信号が入力されたことを認識すると、修正制御部２５４、間隔制御部２５５、第一指針駆動制御部２５６、および第二指針駆動制御部２５７に、第一指針１４の修正を実施する（第一指針修正モード）旨のモード信号を出力する。
【００３０】
修正制御部２５４は、スイッチ検出部２５２から入力される押下認識信号に基づいて、第一指針駆動制御部２５６および第二指針駆動制御部２５７に、時刻を修正する旨の時刻修正信号を出力する。例えば、修正制御部２５４は、スイッチ検出部２５２から押下認識信号が１回入力されると、１分時刻を進ませる旨の時刻修正信号を出力し、スイッチ検出部２５２から、設定ボタン１２が例えば１秒以上長押しされている旨の押下認識信号が入力されたことを認識すると、押下認識信号が入力され続ける間、順次分針を進ませる旨の時刻修正信号を出力する。
また、この時、修正制御部２５４は、モード切替制御部２５３にから入力されるモード信号に基づいて、第二指針修正モードに対応するモード信号が入力された場合には、第二指針駆動制御部２５７に、第一指針修正モードに対応するモード信号が入力された場合には、第一指針駆動制御部２５６に、それぞれ時刻修正信号を出力する。
【００３１】
間隔制御部２５５は、モード切替制御部２５３から入力されるモード信号に基づいて、第一指針１４の駆動間隔を第一駆動間隔および第二駆動間隔に切り替える駆動間隔設定信号を第一指針駆動制御部２５６に出力する。
具体的には、第二指針修正モードに対応するモード信号が入力された場合には、間隔制御部２５５は、まず、第一指針駆動制御部２５６に第一分針１４１の指針位置の位置補正を実施する旨の第一指針補正信号を出力し、その後、第一指針１４の駆動間隔を第二駆動間隔（１分）に切り替える駆動間隔設定信号を出力する。
一方、それ以外のモード信号が入力された場合には、間隔制御部２５５は、第一指針１４の駆動間隔を第一駆動間隔（５秒）に切り替える駆動間隔設定信号を出力する。
【００３２】
第一指針駆動制御部２５６は、第一ステッピングモータ２１に印加するパルス信号を制御し、第一指針１４の運針を制御する。
第二指針駆動制御部２５７は、第二ステッピングモータ２２に印加するパルス信号を制御し、第二指針１５の運針を制御する。
【００３３】
なお、各第一指針駆動制御部２５６、第二指針駆動制御部２５７は、それぞれ内部カウンタを備えている。
ここで、各内部カウンタは、少なくとも秒カウンタおよび分カウンタを備えている。
秒カウンタは、例えば水晶振動子などの基準振動子からの基準信号に基づいて秒をカウントする。例えば基準振動子から１Ｈｚの基準信号が出力されている場合、その信号６０カウントつまり６０秒でループするカウンタである。
また、分カウンタは、１Ｈｚの基準信号を６０回係数したところで１カウントし、６０カウント、すなわち６０分でループするカウントである。なお、秒カウンタが６０カウントするごとに秒カウンタから分カウンタに信号を出力して分カウンタをカウントアップさせてもよい。
【００３４】
第二指針駆動制御部２５７は、内蔵された内部カウンタの分カウンタが１カウントアップする間隔つまり１分間隔で第二ステッピングモータ２２にパルス信号を出力し、第二ステッピングモータ２２を第二駆動間隔（１分間隔）で駆動し、第二指針１５を１分間隔でステップ運針する。
また、モード切替制御部２５３からのモード信号によって、第二指針修正モードに設定された状態で、修正制御部２５４から設定ボタン１２の操作に応じた指針修正信号が入力されると、第二指針駆動制御部２５７は、分カウンタを修正時間分カウントアップし、カウントアップに対応するパルス信号を第二ステッピングモータ２２に出力して第二指針１５を移動させる。
従って、第二指針駆動制御部２５７は、第二指針修正モードにおいては、１分間隔での通常のステップ運針に加えて設定ボタン１２による操作分の指針移動制御を行うことで、第二指針１５の位置を修正している。
【００３５】
第一指針駆動制御部２５６は、間隔制御部２５５からの駆動間隔設定信号によって第一駆動間隔に設定されている場合には、内蔵する秒カウンタが１Ｈｚの基準パルス信号を５カウントする毎に、すなわち５秒間隔で第一ステッピングモータ２１にパルス信号を出力し、第一ステッピングモータ２１を第一駆動間隔（５秒間隔）で駆動し、第一指針１４を５秒間隔でステップ運針する。
また、モード切替制御部２５３からのモード信号によって、第一指針修正モードに設定された状態で、修正制御部２５４から設定ボタン１２の操作に応じた指針修正信号が入力されると、第一指針駆動制御部２５６は、分カウンタを修正時間分カウントアップし、カウントアップに対応するパルス信号を第一ステッピングモータ２１に出力して（１分カウントアップする毎に、１２ステップ分のパルス信号を早送りして）第一指針１４を移動させる。
従って、第一指針駆動制御部２５６は、第一指針修正モードにおいては、設定ボタン１２による操作分の指針移動制御を行うことで、第一指針１４の位置を修正している。
【００３６】
一方、第一指針駆動制御部２５６は、間隔制御部２５５からの駆動間隔設定信号によって第二駆動間隔に設定されている場合（第二指針修正モード時）には、第二指針駆動制御部２５７と同じく、内蔵された内部カウンタの分カウンタが１カウントアップつまり１分間隔で第一ステッピングモータ２１にパルス信号（１２ステップ分のパルス信号を早送り）を出力し、第一ステッピングモータ２１を第二駆動間隔（１分間隔）で駆動し、第一指針１４を１分間隔でステップ運針する。この場合、第一指針１４および第二指針１５は共に１分間隔で同期してステップ運針する。
【００３７】
なお、各内部カウンタには、時カウンタも設け、時カウンタおよび分カウンタが各時針および分針に連動するように構成してもよい。
【００３８】
〔指針式電子時計の動作〕
次に、上記したような指針式電子時計１００の動作について、図面に基づいて説明する。
図３は、前記実施の形態の指針式電子時計における第二指針修正モードにおける時刻表示を示す平面図である。
図４は、本実施の形態の指針式時計の第一指針の運針動作を示すフローチャートである。
図５は、本実施の形態の指針式時計の第二指針の運針動作を示すフローチャートである。
【００３９】
図４に示すように、指針式電子時計１００における第一指針１４の運針動作では、リューズ１１の移動状態によりそれぞれ異なる運針処理を実施する。
すなわち、指針式電子時計１００では、リューズ１１が移動されると、リューズ位置検出部２５１からモード切替制御部２５３に所定の検出信号が入力される。また、モード切替制御部２５３は、入力された検出信号により、リューズ１１がどの位置に移動されたかを認識し、時計のモード選択処理を実施する。
【００４０】
第一指針駆動制御部２５６は、第一指針１４の運針制御が開始されると、まず、リューズ１１が第一引出位置状態ＲＭ１に移動されたか否かを判定する（ステップＳ１０１）。すなわち、リューズ１１が第一引出位置状態ＲＭ１に移動され、リューズ位置検出部２５１からリューズ１１が第一引出位置状態ＲＭ１に移動された旨の検出信号がモード切替制御部２５３に入力されると、モード切替制御部２５３は、第二指針修正モードに対応するモード信号を修正制御部２５４、間隔制御部２５５、第一指針駆動制御部２５６、および第二指針駆動制御部２５７に出力する。この場合、制御部２５は、ステップＳ１０１で「ＹＥＳ」と判定する。
【００４１】
ステップＳ１０１で「ＹＥＳ」と判定されると、間隔制御部２５５は、制御部２５を構成する制御回路内に設けられる図示しないメモリに記録されているフラグ情報（Ａフラグと称す）を認識する。ここで、このＡフラグには、第一分針１４１が第二分針１５１の駆動間隔（本実施の形態では１分）に対応した指針位置、すなわち１分間隔の目盛位置（毎正分の位置）に移動されている場合には「１」が入力され、第一分針１４１が第一時刻表示目盛１３１における分表示目盛間に位置するなど、毎正分に位置していない場合には、「０」が入力される。
そして、制御部２５は、このＡフラグに、第一分針１４１の位置補正を実施した旨の１が記録されているか否かを判断する（ステップＳ１０２）。
【００４２】
このステップＳ１０２において、制御部２５は、Ａフラグに１が記録されていない、すなわち、第一分針１４１の位置補正が実施されていないと判断すると、間隔制御部２５５にて第一指針駆動制御部２５６に第一分針１４１を最も近接する正分まで反時計回り方向に移動させる旨の第一指針補正信号を出力させる。
第一指針駆動制御部２５６は、間隔制御部２５５から入力されるこの第一指針補正信号が入力されると、第一ステッピングモータ２１に所定の駆動パルス電圧を印加して、第一分針１４１を第二分針１５１の駆動間隔に対応する分表示目盛、すなわち最も近接する正分まで反時計回り方向に移動させる制御をする。例えば、第一分針１４１が図１に示すように、９分３０秒を示す指針位置に位置する場合には、図３に示すように、第一分針１４１を、９分００秒を示す指針位置まで移動させる（ステップＳ１０３）。
このステップＳ１０３の後、制御部２５は、Ａフラグに１を記録し、すなわち、第一分針１４１が補正された旨のフラグ情報をメモリに記録する（ステップＳ１０４）。
【００４３】
一方、ステップＳ１０２において、Ａフラグに１が記録されている場合、制御部２５の間隔制御部２５５は、第一指針１４の駆動間隔を第二駆動間隔（１分）に切り替える駆動間隔設定信号を第一指針駆動制御部２５６に出力する。
これにより、第一指針駆動制御部２５６は、入力された駆動間隔設定信号に基づいて、第二駆動間隔（１分）毎に第一ステッピングモータ２１に印加するパルス信号を制御して第一指針１４を運針させる制御をする。
すなわち、第一指針駆動制御部２５６は、内蔵された内部カウンタの分カウンタが１カウントアップしたか否かを判断する（ステップＳ１０５）。そして、このステップＳ１０５において、第一指針駆動制御部２５６は、分カウンタが１カウントアップした場合に、第一ステッピングモータ２１にパルス信号を出力し、第一ステッピングモータ２１を第二駆動間隔（１分間隔）で駆動して第一指針１４を１分間隔でステップ運針させる。この時、第一指針駆動制御部２５６は、第一分針１４１を１２ステップ分早送り駆動させ、第一分針１４１を１分毎に６度時計回り方向に回転させる（ステップＳ１０６）。
【００４４】
この後、例えばリューズ１１が基準位置状態ＲＭ０に移動されるなどして、第二指針修正モードが終了すると、間隔制御部２５５は、Ａフラグに０を記録するとともに、第一指針駆動制御部２５６の内部カウンタの秒カウンタにてカウントされている秒に対応した指針位置に第一指針１４を戻す旨の第一指針補正信号を出力する。そして、第一指針駆動制御部２５６は、この第一指針補正信号に基づいて、第一分針１４１を移動させる。例えば、第一分針１４１が１０分００秒を示す指針位置にする状態で、リューズ１１が基準位置状態ＲＭ０に移動され、この時、秒カウンタが３０秒をカウントしていた場合、第一指針駆動制御部２５６は、第一指針１４を１０分３０秒に対応する指針位置に移動させる。
また、間隔制御部２５５は、第一指針駆動制御部２５６に、第一指針１４の駆動間隔を第一駆動間隔（５秒）に切り替える駆動間隔設定信号を出力する。これにより、第一指針駆動制御部２５６は、秒カウンタが５カウントアップした場合に、第一ステッピングモータ２１にパルス信号を出力し、第一ステッピングモータ２１を第一駆動間隔（５秒間隔）で駆動して第一指針１４を５秒間隔でステップ運針させる。
【００４５】
また、ステップＳ１０１において、制御部２５は、「ＮＯ」と判定した場合、リューズ１１が基準位置状態ＲＭ０に移動されたか否かを判定する（ステップＳ１０７）。すなわち、リューズ１１が基準位置状態ＲＭ０に移動され、リューズ位置検出部２５１からリューズ１１が基準位置状態ＲＭ０に移動された旨の検出信号がモード切替制御部２５３に入力されると、モード切替制御部２５３は、通常運針モードに対応するモード信号を修正制御部２５４、間隔制御部２５５、第一指針駆動制御部２５６、および第二指針駆動制御部２５７に出力する。この場合、制御部２５は、ステップＳ１０７で「ＹＥＳ」と判定する。
【００４６】
そして、このステップＳ１０７において、「ＹＥＳ」と判定されると、間隔制御部２５５は、メモリに記録されているＡフラグおよび後述するＢフラグに０を記録し（ステップＳ１０８、ステップＳ１０９）、フラグ情報をリセットする。
【００４７】
この後、第一指針駆動制御部２５６は、通常運針モードに対応する運針制御処理を実施する。
すなわち、第一指針駆動制御部２５６は、ＡフラグおよびＢフラグが０であることを認識すると、第一駆動間隔（５秒）毎に第一ステッピングモータ２１に印加するパルス信号を制御して第一指針１４を運針させる制御をする。すなわち、第一指針駆動制御部２５６は、内蔵された内部カウンタの秒カウンタが５カウントアップしたか否かを判断する（ステップＳ１１０）。そして、このステップＳ１１０において、第一指針駆動制御部２５６は、秒カウンタが５カウントアップした場合に、第一ステッピングモータ２１にパルス信号を出力し、第一ステッピングモータ２１を第一駆動間隔（５秒間隔）で駆動して第一指針１４を５秒間隔でステップ運針する。この時、第一指針駆動制御部２５６は、第一分針１４１を１ステップ分駆動させ、第一分針１４１を５秒毎に０．５度時計回り方向に回転させる（ステップＳ１１１）。
【００４８】
そして、ステップＳ１０７において、「ＮＯ」と判定された場合、すなわち、リューズ１１が第二引出位置状態ＲＭ２まで引き出された際に出力される検出信号がモード切替制御部２５３にて認識された場合、モード切替制御部２５３は、第一指針修正モードに対応するモード信号を、修正制御部２５４、間隔制御部２５５、第一指針駆動制御部２５６、および第二指針駆動制御部２５７に出力する。
【００４９】
また、制御部２５は、第一指針修正モードに対応するモード信号の入力を認識すると、メモリに記録されたフラグ情報（Ｂフラグと称す）を認識する。ここで、このＢフラグには、第一分針１４１が第二分針１５１の駆動間隔（本実施の形態では１分）に対応した指針位置、すなわち正分に移動されている場合には例えば１が入力され、第一分針１４１が例えば第一時刻表示目盛における分表示目盛間に位置するなど、正分に位置していない場合には、０が入力されている。
そして、制御部２５は、Ｂフラグに、第一分針１４１の位置を補正した旨の１が記録されているか否かを判断する（ステップＳ１１２）。
【００５０】
このステップＳ１１２において、制御部２５は、Ｂフラグが０であると判断した場合、間隔制御部２５５にて、第一分針１４１を最も近接する正分まで時計回り方向に移動させる旨の第一指針補正信号を第一指針駆動制御部２５６に出力させる。
第一指針駆動制御部２５６は、間隔制御部２５５からこの第一指針補正信号が入力されると、第一ステッピングモータ２１に所定の駆動パルス電圧を印加して、最も近接する正分まで時計回り方向に移動させる制御をする。例えば、第一分針１４１が９分３０秒を示す指針位置に位置する場合には、第一分針１４１を、１０分００秒を示す指針位置まで移動させる（ステップＳ１１３）。
この後、間隔制御部２５５は、メモリのＢフラグに、第一分針１４１の指針位置を補正した旨の１を記録する（ステップＳ１１４）。
【００５１】
一方、ステップＳ１１２において、制御部２５は、Ｂフラグが１であると判断した場合、第一指針駆動制御部２５６に第一指針１４の時刻修正処理を実施させる。
すなわち、制御部２５のスイッチ検出部２５２は、設定ボタン１２の押下状態を認識し、押下認識信号を修正制御部２５４に出力する（ステップＳ１１５）。また、修正制御部２５４は、押下認識信号に基づいて、時刻修正信号を第一指針駆動制御部２５６に出力する。
そして、第一指針駆動制御部２５６は、修正制御部２５４からの時刻修正信号の入力を認識すると、時刻修正信号に対応した分だけ第一分針１４１を進ませる制御をする。例えば、第一指針駆動制御部２５６は、設定ボタン１２をｍ回押下された旨の時刻修正信号が入力されると、第一ステッピングモータ２１を制御して、第一分針１４１を１２ステップ分（６度）早送り運針させる処理をｍ回実施する（ステップＳ１１６）。
【００５２】
なお、この第一指針修正モードでは、第一指針駆動制御部２５６は、内部カウンタによる運針制御を実施せず、内部カウンタの秒カウンタを０カウントにリセットした状態に保つ。そして、リューズ１１が移動されるなどして、第一指針修正モードが終了されると、第一指針駆動制御部２５６は、内部カウンタのカウントに基づいて、第一指針１４を運針させる制御をする。
【００５３】
次に、第二指針１５の運針動作について、説明する。
図５に示すように、指針式電子時計１００のリューズ１１が移動されると、リューズ位置検出部２５１は、モード切替制御部２５３に所定の検出信号を出力する。また、モード切替制御部２５３は、入力された検出信号により、リューズ１１がどの位置に移動されたかを認識し、時計のモード選択処理を実施する。
【００５４】
第二指針駆動制御部２５７は、リューズ１１が第一引出位置状態ＲＭ１に移動されたか否かを判定する（ステップＳ２０１）。すなわち、リューズ１１が第一引出位置状態ＲＭ１に移動され、リューズ位置検出部２５１からリューズ１１が第一引出位置状態ＲＭ１に移動された旨の検出信号がモード切替制御部２５３に入力されると、モード切替制御部２５３は、第二指針修正モードに対応するモード信号を修正制御部２５４、間隔制御部２５５、第一指針駆動制御部２５６、および第二指針駆動制御部２５７に出力する。この場合、制御部２５は、ステップＳ２０１で「ＹＥＳ」と判定する。
【００５５】
この後、制御部２５のスイッチ検出部２５２は、設定ボタン１２の押下状態を判断し（ステップＳ２０２）、設定ボタンが押下されたことを認識すると、押下状態に応じた押下認識信号を修正制御部２５４に出力する。
また、修正制御部２５４は、ステップＳ２０２にて設定ボタン１２の押下が認識され、押下状態に応じた押下認識信号がスイッチ検出部２５２から入力されると、時刻修正信号を第二指針駆動制御部２５７に出力する。
【００５６】
第二指針駆動制御部２５７は、修正制御部２５４からの時刻修正信号の入力を認識すると、時刻修正信号に対応した分だけ第二分針１５１を進ませる制御をする。例えば、第二指針駆動制御部２５７は、設定ボタン１２をｍ回押下された旨の時刻修正信号が入力されると、第二ステッピングモータ２２を制御して、第二分針１５１を１ステップ分（６度）運針させる処理をｍ回実施する（ステップＳ２０３）。
【００５７】
また、第二指針駆動制御部２５７は、ステップＳ２０２にて設定ボタン１２が押下されない場合、第二指針駆動制御部２５７は、第二駆動間隔（１分）で第二指針１５の運針制御を実施する。すなわち、第二指針駆動制御部２５７は、内蔵された内部カウンタの分カウンタが１カウントアップしたか否かを判断する（ステップＳ２０４）。そして、このステップＳ２０４において、第二指針駆動制御部２５７は、分カウンタが１カウントアップした場合に、ステップＳ２０３の処理を実施し、第二分針１５１を１ステップ分駆動させ、第二分針１５１を１分毎に６度時計回り方向に回転させる。
【００５８】
また、ステップＳ２０１において、制御部２５が「ＮＯ」と判定した場合、リューズ１１が基準位置状態ＲＭ０に移動されたか否かを判定する（ステップＳ２０５）。このステップＳ２０５において、リューズ１１が基準位置状態ＲＭ０に移動されたと判定された場合、第二指針駆動制御部２５７は、ステップＳ２０４の処理を実施し、すなわち、１分毎に第二時針１５２を運針させる制御をする。
【００５９】
一方、ステップＳ２０５において、リューズ１１が第二引出位置状態ＲＭ２に移動された旨の検出信号がモード切替制御部２５３に入力された場合、第二指針駆動制御部２５７は、内部カウンタによる運針制御を実施せず、内部カウンタの秒カウンタを０カウントにリセットした状態に保つ。そして、リューズ１１が移動されるなどして、第一指針修正モードが終了されると、第二指針駆動制御部２５７は、内部カウンタのカウントに基づいて、第二指針１５を運針させる制御をする。
【００６０】
〔指針式電子時計の作用効果〕
上述したように、上記指針式電子時計１００では、モード切替制御部２５３は、リューズ１１が第二指針１５の修正に対応する第一引出位置状態ＲＭ１に移動された旨の検出信号が認識されると、修正制御部２５４および間隔制御部２５５に第二指針修正モードに対応するモード信号を出力する。そして、間隔制御部２５５は、この第二指針修正モードに対応するモード信号を認識すると、第一分針１４１を第二分針の駆動間隔に対応する指針位置、すなわち正分に移動させる制御をし、第一指針１４の駆動間隔を第二駆動間隔（１分）に切り替える駆動間隔設定信号を第一指針駆動制御部２５６に出力する。そして、第一指針駆動制御部２５６は、第一分針１４１を、第二分針１５１の駆動間隔と同一間隔で移動させる制御をする。
【００６１】
このため、第一分針１４１の指針位置を基準にして第二指針１５の時刻修正を実施する際に、第一分針１４１が正分を示す位置に移動されるので、操作者が第一分針１４１が指す時刻を読み誤って、第二分針１５１を誤った時刻に修正してしまうなどの不都合を防止することができ、正確に第二指針の時刻修正処理を実施することができる。特に、第一指針１４が示す時刻をローカルタイム、第二指針１５が示す時刻をホームタイムとして、デュアルタイム表示の時計として利用する場合、ホームタイムの時刻をローカルタイムに基づいて設定する際、ローカルタイムの読み誤りによる時刻修正ミスを防止でき、正確にホームタイムの時刻修正を実施することができる。
また、通常運針モードでは、第一指針１４を第一駆動間隔（５秒）で駆動させるので、秒針がなくとも秒単位での時刻を表示させることができる。
【００６２】
また、間隔制御部２５５は、モード切替制御部２５３から第二指針修正モードに対応したモード信号の入力を認識すると、第一指針駆動制御部２５６に、第一分針１４１を第二分針１５１の駆動間隔に対応した指針位置、すなわち最も近接する正分まで反時計回り方向に移動させる旨の第一指針補正信号を出力する。そして、第一指針駆動制御部２５６は、この第一指針補正信号に基づいて、第一分針１４１の指針位置を補正する。例えば、第一分針１４１が９分３０秒である場合には、９分００秒の指針位置に第一分針１４１を移動させる制御をする。
このため、リューズ１１を第一引出位置状態に移動させると、操作者が現在時刻を確認しやすい正分に第一分針１４１を反時計回り方向に移動させるので、第一分針１４１の誤認などをより確実に防止することができ、より正確な時刻修正を支援することができる。また、第二指針修正モードにおいて、第一指針１４および第二指針１５の双方を１分毎に運針させる制御をすればよいので、これらの第一指針１４および第二指針１５の運針制御が複雑化しないので、簡単な構成で運針制御を実施することができる。
【００６３】
さらに、第二指針修正モードが終了すると、間隔制御部２５５は、第一分針１４１を内部カウンタにてカウントされる秒に対応する指針位置に移動させる旨の第一指針補正信号を第一指針駆動制御部２５６に出力し、第一指針駆動制御部２５６はこの第一指針補正信号に基づいて、内部カウンタのカウンタ値を認識し、第一分針１４１をカウンタ値に対応する指針位置に移動させる制御をする。
このため、第二指針修正モードが終了すると、第一分針１４１が、通常運針モードにおける第一分針１４１の駆動間隔に対応する所定位置に戻されて、通常運針モードに対応する駆動間隔で運針駆動される。したがって、第一指針１４にて正確な時間を表示させることができ、第二修正モードから通常運針モードに復帰した際の時刻ずれなどの不都合を防止できる。
【００６４】
また、第二指針修正モードにおいて、第二指針１５は、間隔制御部２５５により１分毎に運針制御されるとともに、修正制御部２５４の制御により設定ボタン１２の押下状態に対応した時刻修正が実施される。すなわち、第二指針１５は、設定ボタン１２が押下されない状態でも運針が継続される。このため、第二指針１５の運針制御が停止することがないので、第一指針１４との時刻ずれを防止することができる。
【００６５】
〔他の実施の形態〕
なお、本発明は前述の実施形態に限定されるものではなく、本発明の目的を達成できる範囲での変形、改良等は本発明に含まれるものである。
【００６６】
例えば、第二指針修正モードにおいて、第二指針１５の駆動が停止され、例えばリューズ１１を基準位置状態ＲＭ０に移動させるなどすることで、再び第二指針１５が駆動する構成としてもよい。
【００６７】
また、第二指針修正モードにおいて、第一指針１４を最も近接する正分まで反時計回り方向に移動させるとしたが、例えば第一指針１４を最も近接する正分まで時計回り方向に移動させる構成としてもよい。この場合、最初の桁上げ動作（第一駆動制御信号に基づく運針）では、第一指針１４を移動させず、次回の桁上げ動作から第一指針１４を移動させる構成とすることで、時刻ずれを防止することができる。
【００６８】
さらに、リューズ１１は、３段階に切り替え可能に設けられているが、これに限定されない。例えば２段階のみの移動が可能な構成、４段階以上の移動が可能な構成としてもよい。また、２段階の移動が可能なリューズ１１を複数設ける構成などとしてもよい。設定ボタン１２においても同様に、押下寸法に応じて２段階以上に押下状態を切り替え可能な構成としてもよく、複数の設定ボタン１２が設けられる構成などとしてもよい。
【００６９】
そして、上記実施の形態では、第一分針１４１の駆動間隔が５秒、第二分針１５１の駆動間隔が１分とされる指針式電子時計１００を例示したが、例えば、第一分針１４１の駆動間隔が１０秒、第二分針１５１の駆動間隔が３０秒である指針式電子時計であってもよく、その他、第一分針１４１および第二分針１５１の駆動間隔が異なり、第一指針１４を基準として第二指針１５の時刻を修正する指針式電子時計であれば本発明を適用できる。
【００７０】
また、上記実施の形態では、第一指針１４にてローカルタイムを表示し、第二指針１５にてホームタイムを表示するデュアルタイム表示式の指針式電子時計１００を例示したが、これに限定されない。例えば、第二指針１５がアラーム時間を表示する時計であり、第一指針１４に基づいて第二指針１５のアラーム時間を設定する構成などにおいても本発明を適用することができ、その他、第一指針１４に基づいて、第二指針１５の時刻表示を修正する構成の指針式電子時計であれば、いかなる構成にも適用することができる。
【００７１】
さらに、上記実施の形態では、上述した各機能がハードウェアである制御回路部に組み込まれて構成された例を示したが、例えば、上記機能を有するプログラムをメモリなどに読み出し可能に記録させて、演算手段である例えばＣＰＵなどに読み込ませて上記処理を実施させる構成としてもよく、いずれの形態としても利用できる。なお、プログラムや別途記録媒体から読み取らせる構成とすることにより、上述したように取扱が容易で、利用の拡大が容易に図れる。
【００７２】
その他、本発明の実施の際の具体的な構造および手順は、本発明の目的を達成できる範囲で他の構造などに適宜変更できる。
【図面の簡単な説明】
【００７３】
【図１】本発明の一実施の形態に係る指針式電子時計における通常運針モードにおける時刻表示を示す平面図である。
【図２】前記実施の形態の指針式電子時計における第二指針修正モードにおける時刻表示を示す平面図である。
【図３】前記実施の形態の指針式電子時計の概略構成を示すブロック図である。
【図４】本実施の形態の指針式時計の第一指針の運針動作を示すフローチャートである。
【図５】本実施の形態の指針式時計の第二指針の運針動作を示すフローチャートである。
【符号の説明】
【００７４】
１４…第一指針、１５…第二指針、１００…指針式電子時計、１４１…第一分針、１５１…第二分針、２５３…モード切替手段としてのモード切替制御部、２５５…運針制御手段を構成する間隔制御部、２５６…運針制御手段を構成する第一指針駆動制御部、２５７…運針制御手段を構成する第二指針駆動制御部。
【図１】
0004957407.tif 000002
【図２】
0004957407.tif 000003
【図３】
0004957407.tif 000004
【図４】
0004957407.tif 000005
【図５】
0004957407.tif 000006